(57)【要約】【課題】本発明はピアスの手入れ装置を開示した。【解決手段】手入れ機を含み、前記手入れ機の中には手入れチャンバが設置され、前記手入れチャンバの上側には上方へ開口した開口チャンバが連通するように設置され、前記手入れチャンバの中には拭き装置が設置され、前記拭き装置の上下左右には水循環装置が設置され、前記手入れチャンバの左右両側には昇降装置が対称的に設置され、前記拭き装置は前記パレットの中に設置している伝動チャンバを含み、前記伝動チャンバの中の中心のところには主動平歯車が回転できるように設置され、本装置によりピアスを手入れするとき、同時に複数のピアスを手入れすることができ、反転摩擦の形式でピアスの汚れと酸化層を磨いて洗い、同時に洗浄液を繰り返しに使用することができ、浪費を減らす。【選択図】図１
2020175370.tif 000002
【特許請求の範囲】
【請求項１】
正面視で、手入れ機を含み、前記手入れ機の中には手入れチャンバが設置され、前記手入れチャンバの上側には上方へ開口した開口チャンバが連通するように設置され、前記手入れチャンバの中には拭き装置が設置され、前記拭き装置の上下左右には水循環装置が設置され、前記手入れチャンバの左右両側には昇降装置が対称的に設置され、前記拭き装置は前記パレットの中に設置している伝動チャンバを含み、前記伝動チャンバの中の中心のところには主動平歯車が回転できるように設置され、前記主動平歯車の下端には前記パレットの下側まで伸びている回転軸が固定的に連結され、前記回転軸の中には下方へ開口したスプライン孔が設置され、前記手入れチャンバの下側内壁の中にはモーターが固定的に設置され、前記モーターの上端には上端が前記スプライン孔の中まで伸びているスプライン軸が動力が伝達できるように連結され、前記主動平歯車の円周外側には前記主動平歯車と噛み合っている四つの従動平歯車が環状的に配列するように設置され、前記伝動チャンバの上側には回転チャンバが前記従動平歯車に対応するように設置され、前記回転チャンバの中には前記従動平歯車に固定的に連結されている回転筒が回転できるように設置され、前記回転筒の中には上方へ開口した摩擦チャンバが設置され、前記摩擦チャンバの内円周壁と下壁にはブラシが固定的に設置され、前記摩擦チャンバの下側には前記従動平歯車と前記パレットとを通しており、且つ下方へ開口した通水孔が連通するように設置されていることを特徴とするピアスの手入れ装置。
【請求項２】
前記水循環装置は前記手入れチャンバの下側に連通するように設置されている環状貯蔵チャンバを含み、前記環状貯蔵チャンバの下側内壁の一端には水入り口が連通するように設置され、前記水入り口の下側にはタービンチャンバが連通するように設置され、前記タービンチャンバの中には伝動軸が回転できるように設置され、前記伝動軸の円周面にはタービン羽根が環状的に配列され、且つ固定的に設置され、前記タービンチャンバの右側には傘歯車チャンバが設置され、前記伝動軸の右端が前記傘歯車チャンバの中まで伸びており、且つ前記伝動軸の右端に従動傘歯車が固定的に設置され、前記従動傘歯車の上端には前記従動傘歯車と噛み合っている主動傘歯車が回転できるように設置され、前記主動傘歯車が前記モーターの下端に動力が伝達できるように連結され、前記タービンチャンバの下側には水抜きが連通するように設置され、前記水抜きの左右両側には流通パイプが連通するように設置されていることを特徴とする請求項１に記載のピアスの手入れ装置。
【請求項３】
前記開口チャンバの中にはカバー板がスライドできるように設置され、前記カバー板の中には水流れチャンバが設置され、前記水流れチャンバの下側には下方へ開口した排水孔が連通するように設置され、前記開口チャンバの下側内壁の左右両端には密封チャンバが対称的に連通するように設置され、前記カバー板の下端面の左右両端には前記密封チャンバの中まで伸びることができる密封ブロックが対称的に、且つ固定的に設置され、前記密封ブロックの中には前記水流れチャンバに連通しており、且つ下方へ開口した密封孔が上下に貫通するように設置され、前記密封チャンバの下壁には前記密封孔の中まで伸びることができるゴムホースが固定的に設置され、前記ゴムホースの中には連通口が上下に貫通するように設置され、前記流通パイプの上端が前記連通口に連通しており、左側の前記流通パイプの左側下端には左方へ開口した放水口が連通するように設置され、前記放水口の上側には阻み板チャンバが連通するように設置され、前記阻み板チャンバの中には阻み板がスライドできるように設置され、前記阻み板の上端と前記阻み板チャンバの上壁との間には圧縮バネが固定的に連結され、前記阻み板チャンバの左側内壁には左方へ開口した開閉チャンバが設置され、前記開閉チャンバの中には前記阻み板に固定的に連結されている開閉ブロックがスライドできるように設置されていることを特徴とする請求項２に記載のピアスの手入れ装置。
【請求項４】
前記昇降装置は対称的であり、且つ前記手入れチャンバの下側内壁の左右両端に設置されている昇降チャンバを含み、前記昇降チャンバの中には昇降ロッドがスライドできるように設置され、前記昇降ロッドの中には下方へ開口したネジ山チャンバが設置され、前記ネジ山チャンバの中にはネジロッドがネジ山より連結され、前記昇降チャンバの下側にはプーリチャンバが設置され、前記ネジロッドの下端が前記プーリチャンバの中まで伸びており、且つ前記ネジロッドの下端には従動プーリが固定的に連結され、前記従動プーリの中間位置には主動プーリが回転できるように設置され、前記主動プーリと前記従動プーリとの間には伝動ベルトが動力が伝達できるように連結され、前記プーリチャンバの上側内壁には制御モーターが固定的に設置され、前記主動プーリが前記制御モーターの下端に動力が伝達できるように連結されていることを特徴とする請求項１に記載のピアスの手入れ装置。
【発明の詳細な説明】
【技術分野】
【０００１】
本発明はアクセサリーの手入れ技術分野を取り上げて、具体的にはピアスの手入れ装置である。
【背景技術】
【０００２】
アクセサリーの中で、女性に一番好まれている種類はピアスであり、ピアスは長時間使用された後表面がくすみ、買ったばかりの時のようにピカピカではなく、この時はピアスを手入れする必要があり、ピアスに輝きを取り戻させ、しかし一般的には人工でブラシと洗浄液などを使用してピアスを磨いて洗い、しかしこの方法が面倒であり、また一つずつ手入れする必要があり、効率が低く、一般の女性はたくさんのピアスを持っているので、ピアスを手入れすることに時間がかかり、非常に不便であり、そのため、ピアスの手入れ装置が必要であり、本装置を通じてピアスを手入れする時、同時に複数のピアスを手入れすることができ、反転摩擦の形式でピアスの汚れと酸化層を磨いて洗い、同時に洗浄液を繰り返しに使用することができ、浪費を減らす。
【先行技術文献】
【特許文献】
【０００３】
【特許文献１】中国特許出願公開第１０５６０３４４３号明細書
【発明の概要】
【発明が解決しようとする課題】
【０００４】
本発明はピアスの手入れ装置を提供し、従来技術における上記欠点を解消することを目的とする。
【課題を解決するための手段】
【０００５】
本発明のピアスの手入れ装置は、手入れ機を含み、前記手入れ機の中には手入れチャンバが設置され、前記手入れチャンバの上側には上方へ開口した開口チャンバが連通するように設置され、前記手入れチャンバの中には拭き装置が設置され、前記拭き装置の上下左右には水循環装置が設置され、前記手入れチャンバの左右両側には昇降装置が対称的に設置され、前記拭き装置は前記パレットの中に設置している伝動チャンバを含み、前記伝動チャンバの中の中心のところには主動平歯車が回転できるように設置され、前記主動平歯車の下端には前記パレットの下側まで伸びている回転軸が固定的に連結され、前記回転軸の中には下方へ開口したスプライン孔が設置され、前記手入れチャンバの下側内壁の中にはモーターが固定的に設置され、前記モーターの上端には上端が前記スプライン孔の中まで伸びているスプライン軸が動力が伝達できるように連結され、前記主動平歯車の円周外側には前記主動平歯車と噛み合っている四つの従動平歯車が環状的に配列するように設置され、前記伝動チャンバの上側には回転チャンバが前記従動平歯車に対応するように設置され、前記回転チャンバの中には前記従動平歯車に固定的に連結されている回転筒が回転できるように設置され、前記回転筒の中には上方へ開口した摩擦チャンバが設置され、前記摩擦チャンバの内円周壁と下壁にはブラシが固定的に設置され、前記摩擦チャンバの下側には前記従動平歯車と前記パレットとを通しており、且つ下方へ開口した通水孔が連通するように設置されている。
【０００６】
更の技術プランとしては、前記水循環装置は前記手入れチャンバの下側に連通するように設置されている環状貯蔵チャンバを含み、前記環状貯蔵チャンバの下側内壁の一端には水入り口が連通するように設置され、前記水入り口の下側にはタービンチャンバが連通するように設置され、前記タービンチャンバの中には伝動軸が回転できるように設置され、前記伝動軸の円周面にはタービン羽根が環状的に配列され、且つ固定的に設置され、前記タービンチャンバの右側には傘歯車チャンバが設置され、前記伝動軸の右端が前記傘歯車チャンバの中まで伸びており、且つ前記伝動軸の右端に従動傘歯車が固定的に設置され、前記従動傘歯車の上端には前記従動傘歯車と噛み合っている主動傘歯車が回転できるように設置され、前記主動傘歯車が前記モーターの下端に動力が伝達できるように連結され、前記タービンチャンバの下側には水抜きが連通するように設置され、前記水抜きの左右両側には流通パイプが連通するように設置されている。
【０００７】
更の技術プランとしては、前記開口チャンバの中にはカバー板がスライドできるように設置され、前記カバー板の中には水流れチャンバが設置され、前記水流れチャンバの下側には下方へ開口した排水孔が連通するように設置され、前記開口チャンバの下側内壁の左右両端には密封チャンバが対称的に連通するように設置され、前記カバー板の下端面の左右両端には前記密封チャンバの中まで伸びることができる密封ブロックが対称的に、且つ固定的に設置され、前記密封ブロックの中には前記水流れチャンバに連通しており、且つ下方へ開口した密封孔が上下に貫通するように設置され、前記密封チャンバの下壁には前記密封孔の中まで伸びることができるゴムホースが固定的に設置され、前記ゴムホースの中には連通口が上下に貫通するように設置され、前記流通パイプの上端が前記連通口に連通しており、左側の前記流通パイプの左側下端には左方へ開口した放水口が連通するように設置され、前記放水口の上側には阻み板チャンバが連通するように設置され、前記阻み板チャンバの中には阻み板がスライドできるように設置され、前記阻み板の上端と前記阻み板チャンバの上壁との間には圧縮バネが固定的に連結され、前記阻み板チャンバの左側内壁には左方へ開口した開閉チャンバが設置され、前記開閉チャンバの中には前記阻み板に固定的に連結されている開閉ブロックがスライドできるように設置されている。
【０００８】
更の技術プランとしては、前記昇降装置は対称的であり、且つ前記手入れチャンバの下側内壁の左右両端に設置されている昇降チャンバを含み、前記昇降チャンバの中には昇降ロッドがスライドできるように設置され、前記昇降ロッドの中には下方へ開口したネジ山チャンバが設置され、前記ネジ山チャンバの中にはネジロッドがネジ山より連結され、前記昇降チャンバの下側にはプーリチャンバが設置され、前記ネジロッドの下端が前記プーリチャンバの中まで伸びており、且つ前記ネジロッドの下端には従動プーリが固定的に連結され、前記従動プーリの中間位置には主動プーリが回転できるように設置され、前記主動プーリと前記従動プーリとの間には伝動ベルトが動力が伝達できるように連結され、前記プーリチャンバの上側内壁には制御モーターが固定的に設置され、前記主動プーリが前記制御モーターの下端に動力が伝達できるように連結されている。
【発明の効果】
【０００９】
有益な効果は：本装置によりピアスを手入れするとき、同時に複数のピアスを手入れすることができ、反転摩擦の形式でピアスの汚れと酸化層を磨いて洗い、同時に洗浄液を繰り返しに使用することができ、浪費を減らす
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明のピアスの手入れ装置の内部の全体構成模式図
【図２】図２は図１の「Ａ」の拡大模式図
【図３】図３は図１の「Ｂ」の拡大模式図
【図４】図４は図１の「Ｃ」の拡大模式図
【発明を実施するための形態】
【００１２】
図１〜４を参照し、本発明のピアスの手入れ装置は、手入れ機１１を含み、前記手入れ機１１の中には手入れチャンバ１２が設置され、前記手入れチャンバ１２の上側には上方へ開口した開口チャンバ３４が連通するように設置され、前記手入れチャンバ１２の中には拭き装置１０１が設置され、前記拭き装置１０１の上下左右には水循環装置１０２が設置され、前記手入れチャンバ１２の左右両側には昇降装置１０３が対称的に設置され、前記拭き装置１０１は前記パレット１３の中に設置している伝動チャンバ２５を含み、前記伝動チャンバ２５の中の中心のところには主動平歯車２６が回転できるように設置され、前記主動平歯車２６の下端には前記パレット１３の下側まで伸びている回転軸２７が固定的に連結され、前記回転軸２７の中には下方へ開口したスプライン孔２８が設置され、前記手入れチャンバ１２の下側内壁の中にはモーター２４が固定的に設置され、前記モーター２４の上端には上端が前記スプライン孔２８の中まで伸びているスプライン軸２９が動力が伝達できるように連結され、前記主動平歯車２６の円周外側には前記主動平歯車２６と噛み合っている四つの従動平歯車３０が環状的に配列するように設置され、前記伝動チャンバ２５の上側には回転チャンバ３１が前記従動平歯車３０に対応するように設置され、前記回転チャンバ３１の中には前記従動平歯車３０に固定的に連結されている回転筒１４が回転できるように設置され、前記回転筒１４の中には上方へ開口した摩擦チャンバ３２が設置され、前記摩擦チャンバ３２の内円周壁と下壁にはブラシ１５が固定的に設置され、前記摩擦チャンバ３２の下側には前記従動平歯車３０と前記パレット１３とを通しており、且つ下方へ開口した通水孔３３が連通するように設置されている。
【００１３】
有益的には、前記水循環装置１０２は前記手入れチャンバ１２の下側に連通するように設置されている環状貯蔵チャンバ１９を含み、前記環状貯蔵チャンバ１９の下側内壁の一端には水入り口３５が連通するように設置され、前記水入り口３５の下側にはタービンチャンバ２０が連通するように設置され、前記タービンチャンバ２０の中には伝動軸３６が回転できるように設置され、前記伝動軸３６の円周面にはタービン羽根２１が環状的に配列され、且つ固定的に設置され、前記タービンチャンバ２０の右側には傘歯車チャンバ３７が設置され、前記伝動軸３６の右端が前記傘歯車チャンバ３７の中まで伸びており、且つ前記伝動軸３６の右端に従動傘歯車３８が固定的に設置され、前記従動傘歯車３８の上端には前記従動傘歯車３８と噛み合っている主動傘歯車３９が回転できるように設置され、前記主動傘歯車３９が前記モーター２４の下端に動力が伝達できるように連結され、前記タービンチャンバ２０の下側には水抜き４０が連通するように設置され、前記水抜き４０の左右両側には流通パイプ４１が連通するように設置されている。
【００１４】
有益的には、前記開口チャンバ３４の中にはカバー板１６がスライドできるように設置され、前記カバー板１６の中には水流れチャンバ１７が設置され、前記水流れチャンバ１７の下側には下方へ開口した排水孔１８が連通するように設置され、前記開口チャンバ３４の下側内壁の左右両端には密封チャンバ４２が対称的に連通するように設置され、前記カバー板１６の下端面の左右両端には前記密封チャンバ４２の中まで伸びることができる密封ブロック４３が対称的に、且つ固定的に設置され、前記密封ブロック４３の中には前記水流れチャンバ１７に連通しており、且つ下方へ開口した密封孔４４が上下に貫通するように設置され、前記密封チャンバ４２の下壁には前記密封孔４４の中まで伸びることができるゴムホース４５が固定的に設置され、前記ゴムホース４５の中には連通口５２が上下に貫通するように設置され、前記流通パイプ４１の上端が前記連通口５２に連通しており、左側の前記流通パイプ４１の左側下端には左方へ開口した放水口４６が連通するように設置され、前記放水口４６の上側には阻み板チャンバ４７が連通するように設置され、前記阻み板チャンバ４７の中には阻み板４８がスライドできるように設置され、前記阻み板４８の上端と前記阻み板チャンバ４７の上壁との間には圧縮バネ４９が固定的に連結され、前記阻み板チャンバ４７の左側内壁には左方へ開口した開閉チャンバ５０が設置され、前記開閉チャンバ５０の中には前記阻み板４８に固定的に連結されている開閉ブロック５１がスライドできるように設置されている。
【００１５】
有益的には、前記昇降装置１０３は対称的であり、且つ前記手入れチャンバ１２の下側内壁の左右両端に設置されている昇降チャンバ５３を含み、前記昇降チャンバ５３の中には昇降ロッド２２がスライドできるように設置され、前記昇降ロッド２２の中には下方へ開口したネジ山チャンバ５４が設置され、前記ネジ山チャンバ５４の中にはネジロッド５５がネジ山より連結され、前記昇降チャンバ５３の下側にはプーリチャンバ５６が設置され、前記ネジロッド５５の下端が前記プーリチャンバ５６の中まで伸びており、且つ前記ネジロッド５５の下端には従動プーリ５７が固定的に連結され、前記従動プーリ５７の中間位置には主動プーリ５８が回転できるように設置され、前記主動プーリ５８と前記従動プーリ５７との間には伝動ベルト５９が動力が伝達できるように連結され、前記プーリチャンバ５６の上側内壁には制御モーター２３が固定的に設置され、前記主動プーリ５８が前記制御モーター２３の下端に動力が伝達できるように連結されている。
【００１６】
初期状態において、カバー板１６が開口チャンバ３４の中に位置しており、且つ開口チャンバ３４を密封し、パレット１３が一番下端に位置しており、この時にスプライン軸２９と回転軸２７とがスプラインにより連結され、阻み板４８が一番下端に位置しており、放水口４６を密封する。
【００１７】
ピアスを手入れする時、制御モーター２３を始動し、主動プーリ５８を連動させて回転させ、伝動ベルト５９により従動プーリ５７を連動させて回転させ、更にネジロッド５５を連動させて回転させ、ネジ山による連結を通じて昇降ロッド２２を連動させて上昇させ、これによりカバー板１６とパレット１３とを連動させて上昇させ、まずは手入れチャンバ１２の中に一定の洗浄液を入れ、洗浄液は通水孔３３により環状貯蔵チャンバ１９の中まで流れ、そして最大限四つのピアスをぞれぞれブラシ１５に置き、この時に制御モーター２３が逆方向へ作動し、パレット１３とカバー板１６を初期位置に戻し、この時にモーター２４を始動し、スプライン軸２９を連動させて回転させ、スプラインによる連結を通じて回転軸２７を連動させて回転させ、更に主動平歯車２６を連動させて回転させ、歯車の噛み合いにより従動平歯車３０を連動させて回転させ、更に回転筒１４とブラシ１５とを連動させて回転させ、この時にピアスがブラシで反転し、軽く摩擦することにより拭くことができ、同時に、モーター２４が主動傘歯車３９を連動させて回転させ、歯車の噛み合いにより従動傘歯車３８を連動させて回転させ、更に伝動軸３６を連動させて回転させ、更にタービン羽根２１を連動させて回転させ、洗浄液を環状貯蔵チャンバ１９の中から流通パイプ４１まで輸送し、連通口５２により水流れチャンバ１７の中に洗浄液を輸送し、この時洗浄液が排水孔１８から落ちてピアスを洗い、洗浄液が何回も使用された後新しいものに替える時、手動で開閉ブロック５１を上方へ引き、更に阻み板４８を連動させて上昇させて且つ放水口４６を開き、この時に環状貯蔵チャンバ１９の中に貯蔵された洗浄液が流通パイプ４１と放水口４６により流出する。    
【００１８】
有益な効果は：本装置によりピアスを手入れするとき、同時に複数のピアスを手入れすることができ、反転摩擦の形式でピアスの汚れと酸化層を磨いて洗い、同時に洗浄液を繰り返しに使用することができ、浪費を減らす。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175370.tif 000003
【図２】
2020175370.tif 000004
【図３】
2020175370.tif 000005
【図４】
2020175370.tif 000006
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
正面視で、手入れ機を含み、前記手入れ機の中には手入れチャンバが設置され、前記手入れチャンバの上側には上方へ開口した開口チャンバが連通するように設置され、前記手入れチャンバの中には拭き装置が設置され、前記拭き装置の上下左右には水循環装置が設置され、前記手入れチャンバの左右両側には昇降装置が対称的に設置され、前記拭き装置はパレットの中に設置している伝動チャンバを含み、前記伝動チャンバの中の中心のところには主動平歯車が回転できるように設置され、前記主動平歯車の下端には前記パレットの下側まで伸びている回転軸が固定的に連結され、前記回転軸の中には下方へ開口したスプライン孔が設置され、前記手入れチャンバの下側内壁の中にはモーターが固定的に設置され、前記モーターの上端には上端が前記スプライン孔の中まで伸びているスプライン軸が動力が伝達できるように連結され、前記主動平歯車の円周外側には前記主動平歯車と噛み合っている四つの従動平歯車が環状的に配列するように設置され、前記伝動チャンバの上側には回転チャンバが前記従動平歯車に対応するように設置され、前記回転チャンバの中には前記従動平歯車に固定的に連結されている回転筒が回転できるように設置され、前記回転筒の中には上方へ開口した摩擦チャンバが設置され、前記摩擦チャンバの内円周壁と下壁にはブラシが固定的に設置され、前記摩擦チャンバの下側には前記従動平歯車と前記パレットとを通しており、且つ下方へ開口した通水孔が連通するように設置され、
前記水循環装置は前記手入れチャンバの下側に連通するように設置されている環状貯蔵チャンバを含み、前記環状貯蔵チャンバの下側内壁の一端には水入り口が連通するように設置され、前記水入り口の下側にはタービンチャンバが連通するように設置され、前記タービンチャンバの中には伝動軸が回転できるように設置され、前記伝動軸の円周面にはタービン羽根が環状的に配列され、且つ固定的に設置され、前記タービンチャンバの右側には傘歯車チャンバが設置され、前記伝動軸の右端が前記傘歯車チャンバの中まで伸びており、且つ前記伝動軸の右端に従動傘歯車が固定的に設置され、前記従動傘歯車の上端には前記従動傘歯車と噛み合っている主動傘歯車が回転できるように設置され、前記主動傘歯車が前記モーターの下端に動力が伝達できるように連結され、前記タービンチャンバの下側には水抜きが連通するように設置され、前記水抜きの左右両側には流通パイプが連通するように設置され、
前記開口チャンバの中にはカバー板がスライドできるように設置され、前記カバー板の中には水流れチャンバが設置され、前記水流れチャンバの下側には下方へ開口した排水孔が連通するように設置され、前記開口チャンバの下側内壁の左右両端には密封チャンバが対称的に連通するように設置され、前記カバー板の下端面の左右両端には前記密封チャンバの中まで伸びることができる密封ブロックが対称的に、且つ固定的に設置され、前記密封ブロックの中には前記水流れチャンバに連通しており、且つ下方へ開口した密封孔が上下に貫通するように設置され、前記密封チャンバの下壁には前記密封孔の中まで伸びることができるゴムホースが固定的に設置され、前記ゴムホースの中には連通口が上下に貫通するように設置され、前記流通パイプの上端が前記連通口に連通しており、左側の前記流通パイプの左側下端には左方へ開口した放水口が連通するように設置され、前記放水口の上側には阻み板チャンバが連通するように設置され、前記阻み板チャンバの中には阻み板がスライドできるように設置され、前記阻み板の上端と前記阻み板チャンバの上壁との間には圧縮バネが固定的に連結され、前記阻み板チャンバの左側内壁には左方へ開口した開閉チャンバが設置され、前記開閉チャンバの中には前記阻み板に固定的に連結されている開閉ブロックがスライドできるように設置され、
前記昇降装置は対称的であり、且つ前記手入れチャンバの下側内壁の左右両端に設置されている昇降チャンバを含み、前記昇降チャンバの中には昇降ロッドがスライドできるように設置され、前記昇降ロッドの中には下方へ開口したネジ山チャンバが設置され、前記ネジ山チャンバの中にはネジロッドがネジ山より連結され、前記昇降チャンバの下側にはプーリチャンバが設置され、前記ネジロッドの下端が前記プーリチャンバの中まで伸びており、且つ前記ネジロッドの下端には従動プーリが固定的に連結され、前記従動プーリの中間位置には主動プーリが回転できるように設置され、前記主動プーリと前記従動プーリとの間には伝動ベルトが動力が伝達できるように連結され、前記プーリチャンバの上側内壁には制御モーターが固定的に設置され、前記主動プーリが前記制御モーターの下端に動力が伝達できるように連結されていることを特徴とするピアスの手入れ装置。
【手続補正２】
【補正対象書類名】明細書
【補正対象項目名】全文
【補正方法】変更
【補正の内容】
【発明の詳細な説明】
【技術分野】
【０００１】
本発明はアクセサリーの手入れ技術分野を取り上げて、具体的にはピアスの手入れ装置である。
【背景技術】
【０００２】
アクセサリーの中で、女性に一番好まれている種類はピアスであり、ピアスは長時間使用された後表面がくすみ、買ったばかりの時のようにピカピカではなく、この時はピアスを手入れする必要があり、ピアスに輝きを取り戻させ、しかし一般的には人工でブラシと洗浄液などを使用してピアスを磨いて洗い、しかしこの方法が面倒であり、また一つずつ手入れする必要があり、効率が低く、一般の女性はたくさんのピアスを持っているので、ピアスを手入れすることに時間がかかり、非常に不便であり、そのため、ピアスの手入れ装置が必要であり、本装置を通じてピアスを手入れする時、同時に複数のピアスを手入れすることができ、反転摩擦の形式でピアスの汚れと酸化層を磨いて洗い、同時に洗浄液を繰り返しに使用することができ、浪費を減らす。
【先行技術文献】
【特許文献】
【０００３】
【特許文献１】中国特許出願公開第１０５６０３４４３号明細書
【発明の概要】
【発明が解決しようとする課題】
【０００４】
本発明はピアスの手入れ装置を提供し、従来技術における上記欠点を解消することを目的とする。
【課題を解決するための手段】
【０００５】
本発明のピアスの手入れ装置は、手入れ機を含み、前記手入れ機の中には手入れチャンバが設置され、前記手入れチャンバの上側には上方へ開口した開口チャンバが連通するように設置され、前記手入れチャンバの中には拭き装置が設置され、前記拭き装置の上下左右には水循環装置が設置され、前記手入れチャンバの左右両側には昇降装置が対称的に設置され、前記拭き装置はパレットの中に設置している伝動チャンバを含み、前記伝動チャンバの中の中心のところには主動平歯車が回転できるように設置され、前記主動平歯車の下端には前記パレットの下側まで伸びている回転軸が固定的に連結され、前記回転軸の中には下方へ開口したスプライン孔が設置され、前記手入れチャンバの下側内壁の中にはモーターが固定的に設置され、前記モーターの上端には上端が前記スプライン孔の中まで伸びているスプライン軸が動力が伝達できるように連結され、前記主動平歯車の円周外側には前記主動平歯車と噛み合っている四つの従動平歯車が環状的に配列するように設置され、前記伝動チャンバの上側には回転チャンバが前記従動平歯車に対応するように設置され、前記回転チャンバの中には前記従動平歯車に固定的に連結されている回転筒が回転できるように設置され、前記回転筒の中には上方へ開口した摩擦チャンバが設置され、前記摩擦チャンバの内円周壁と下壁にはブラシが固定的に設置され、前記摩擦チャンバの下側には前記従動平歯車と前記パレットとを通しており、且つ下方へ開口した通水孔が連通するように設置されている。
【０００６】
更の技術プランとしては、前記水循環装置は前記手入れチャンバの下側に連通するように設置されている環状貯蔵チャンバを含み、前記環状貯蔵チャンバの下側内壁の一端には水入り口が連通するように設置され、前記水入り口の下側にはタービンチャンバが連通するように設置され、前記タービンチャンバの中には伝動軸が回転できるように設置され、前記伝動軸の円周面にはタービン羽根が環状的に配列され、且つ固定的に設置され、前記タービンチャンバの右側には傘歯車チャンバが設置され、前記伝動軸の右端が前記傘歯車チャンバの中まで伸びており、且つ前記伝動軸の右端に従動傘歯車が固定的に設置され、前記従動傘歯車の上端には前記従動傘歯車と噛み合っている主動傘歯車が回転できるように設置され、前記主動傘歯車が前記モーターの下端に動力が伝達できるように連結され、前記タービンチャンバの下側には水抜きが連通するように設置され、前記水抜きの左右両側には流通パイプが連通するように設置されている。
【０００７】
更の技術プランとしては、前記開口チャンバの中にはカバー板がスライドできるように設置され、前記カバー板の中には水流れチャンバが設置され、前記水流れチャンバの下側には下方へ開口した排水孔が連通するように設置され、前記開口チャンバの下側内壁の左右両端には密封チャンバが対称的に連通するように設置され、前記カバー板の下端面の左右両端には前記密封チャンバの中まで伸びることができる密封ブロックが対称的に、且つ固定的に設置され、前記密封ブロックの中には前記水流れチャンバに連通しており、且つ下方へ開口した密封孔が上下に貫通するように設置され、前記密封チャンバの下壁には前記密封孔の中まで伸びることができるゴムホースが固定的に設置され、前記ゴムホースの中には連通口が上下に貫通するように設置され、前記流通パイプの上端が前記連通口に連通しており、左側の前記流通パイプの左側下端には左方へ開口した放水口が連通するように設置され、前記放水口の上側には阻み板チャンバが連通するように設置され、前記阻み板チャンバの中には阻み板がスライドできるように設置され、前記阻み板の上端と前記阻み板チャンバの上壁との間には圧縮バネが固定的に連結され、前記阻み板チャンバの左側内壁には左方へ開口した開閉チャンバが設置され、前記開閉チャンバの中には前記阻み板に固定的に連結されている開閉ブロックがスライドできるように設置されている。
【０００８】
更の技術プランとしては、前記昇降装置は対称的であり、且つ前記手入れチャンバの下側内壁の左右両端に設置されている昇降チャンバを含み、前記昇降チャンバの中には昇降ロッドがスライドできるように設置され、前記昇降ロッドの中には下方へ開口したネジ山チャンバが設置され、前記ネジ山チャンバの中にはネジロッドがネジ山より連結され、前記昇降チャンバの下側にはプーリチャンバが設置され、前記ネジロッドの下端が前記プーリチャンバの中まで伸びており、且つ前記ネジロッドの下端には従動プーリが固定的に連結され、前記従動プーリの中間位置には主動プーリが回転できるように設置され、前記主動プーリと前記従動プーリとの間には伝動ベルトが動力が伝達できるように連結され、前記プーリチャンバの上側内壁には制御モーターが固定的に設置され、前記主動プーリが前記制御モーターの下端に動力が伝達できるように連結されている。
【発明の効果】
【０００９】
有益な効果は：本装置によりピアスを手入れするとき、同時に複数のピアスを手入れすることができ、反転摩擦の形式でピアスの汚れと酸化層を磨いて洗い、同時に洗浄液を繰り返しに使用することができ、浪費を減らす
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明のピアスの手入れ装置の内部の全体構成模式図
【図２】図２は図１の「Ａ」の拡大模式図
【図３】図３は図１の「Ｂ」の拡大模式図
【図４】図４は図１の「Ｃ」の拡大模式図
【発明を実施するための形態】
【００１２】
図１〜４を参照し、本発明のピアスの手入れ装置は、手入れ機１１を含み、前記手入れ機１１の中には手入れチャンバ１２が設置され、前記手入れチャンバ１２の上側には上方へ開口した開口チャンバ３４が連通するように設置され、前記手入れチャンバ１２の中には拭き装置１０１が設置され、前記拭き装置１０１の上下左右には水循環装置１０２が設置され、前記手入れチャンバ１２の左右両側には昇降装置１０３が対称的に設置され、前記拭き装置１０１はパレット１３の中に設置している伝動チャンバ２５を含み、前記伝動チャンバ２５の中の中心のところには主動平歯車２６が回転できるように設置され、前記主動平歯車２６の下端には前記パレット１３の下側まで伸びている回転軸２７が固定的に連結され、前記回転軸２７の中には下方へ開口したスプライン孔２８が設置され、前記手入れチャンバ１２の下側内壁の中にはモーター２４が固定的に設置され、前記モーター２４の上端には上端が前記スプライン孔２８の中まで伸びているスプライン軸２９が動力が伝達できるように連結され、前記主動平歯車２６の円周外側には前記主動平歯車２６と噛み合っている四つの従動平歯車３０が環状的に配列するように設置され、前記伝動チャンバ２５の上側には回転チャンバ３１が前記従動平歯車３０に対応するように設置され、前記回転チャンバ３１の中には前記従動平歯車３０に固定的に連結されている回転筒１４が回転できるように設置され、前記回転筒１４の中には上方へ開口した摩擦チャンバ３２が設置され、前記摩擦チャンバ３２の内円周壁と下壁にはブラシ１５が固定的に設置され、前記摩擦チャンバ３２の下側には前記従動平歯車３０と前記パレット１３とを通しており、且つ下方へ開口した通水孔３３が連通するように設置されている。
【００１３】
有益的には、前記水循環装置１０２は前記手入れチャンバ１２の下側に連通するように設置されている環状貯蔵チャンバ１９を含み、前記環状貯蔵チャンバ１９の下側内壁の一端には水入り口３５が連通するように設置され、前記水入り口３５の下側にはタービンチャンバ２０が連通するように設置され、前記タービンチャンバ２０の中には伝動軸３６が回転できるように設置され、前記伝動軸３６の円周面にはタービン羽根２１が環状的に配列され、且つ固定的に設置され、前記タービンチャンバ２０の右側には傘歯車チャンバ３７が設置され、前記伝動軸３６の右端が前記傘歯車チャンバ３７の中まで伸びており、且つ前記伝動軸３６の右端に従動傘歯車３８が固定的に設置され、前記従動傘歯車３８の上端には前記従動傘歯車３８と噛み合っている主動傘歯車３９が回転できるように設置され、前記主動傘歯車３９が前記モーター２４の下端に動力が伝達できるように連結され、前記タービンチャンバ２０の下側には水抜き４０が連通するように設置され、前記水抜き４０の左右両側には流通パイプ４１が連通するように設置されている。
【００１４】
有益的には、前記開口チャンバ３４の中にはカバー板１６がスライドできるように設置され、前記カバー板１６の中には水流れチャンバ１７が設置され、前記水流れチャンバ１７の下側には下方へ開口した排水孔１８が連通するように設置され、前記開口チャンバ３４の下側内壁の左右両端には密封チャンバ４２が対称的に連通するように設置され、前記カバー板１６の下端面の左右両端には前記密封チャンバ４２の中まで伸びることができる密封ブロック４３が対称的に、且つ固定的に設置され、前記密封ブロック４３の中には前記水流れチャンバ１７に連通しており、且つ下方へ開口した密封孔４４が上下に貫通するように設置され、前記密封チャンバ４２の下壁には前記密封孔４４の中まで伸びることができるゴムホース４５が固定的に設置され、前記ゴムホース４５の中には連通口５２が上下に貫通するように設置され、前記流通パイプ４１の上端が前記連通口５２に連通しており、左側の前記流通パイプ４１の左側下端には左方へ開口した放水口４６が連通するように設置され、前記放水口４６の上側には阻み板チャンバ４７が連通するように設置され、前記阻み板チャンバ４７の中には阻み板４８がスライドできるように設置され、前記阻み板４８の上端と前記阻み板チャンバ４７の上壁との間には圧縮バネ４９が固定的に連結され、前記阻み板チャンバ４７の左側内壁には左方へ開口した開閉チャンバ５０が設置され、前記開閉チャンバ５０の中には前記阻み板４８に固定的に連結されている開閉ブロック５１がスライドできるように設置されている。
【００１５】
有益的には、前記昇降装置１０３は対称的であり、且つ前記手入れチャンバ１２の下側内壁の左右両端に設置されている昇降チャンバ５３を含み、前記昇降チャンバ５３の中には昇降ロッド２２がスライドできるように設置され、前記昇降ロッド２２の中には下方へ開口したネジ山チャンバ５４が設置され、前記ネジ山チャンバ５４の中にはネジロッド５５がネジ山より連結され、前記昇降チャンバ５３の下側にはプーリチャンバ５６が設置され、前記ネジロッド５５の下端が前記プーリチャンバ５６の中まで伸びており、且つ前記ネジロッド５５の下端には従動プーリ５７が固定的に連結され、前記従動プーリ５７の中間位置には主動プーリ５８が回転できるように設置され、前記主動プーリ５８と前記従動プーリ５７との間には伝動ベルト５９が動力が伝達できるように連結され、前記プーリチャンバ５６の上側内壁には制御モーター２３が固定的に設置され、前記主動プーリ５８が前記制御モーター２３の下端に動力が伝達できるように連結されている。
【００１６】
初期状態において、カバー板１６が開口チャンバ３４の中に位置しており、且つ開口チャンバ３４を密封し、パレット１３が一番下端に位置しており、この時にスプライン軸２９と回転軸２７とがスプラインにより連結され、阻み板４８が一番下端に位置しており、放水口４６を密封する。
【００１７】
ピアスを手入れする時、制御モーター２３を始動し、主動プーリ５８を連動させて回転させ、伝動ベルト５９により従動プーリ５７を連動させて回転させ、更にネジロッド５５を連動させて回転させ、ネジ山による連結を通じて昇降ロッド２２を連動させて上昇させ、これによりカバー板１６とパレット１３とを連動させて上昇させ、まずは手入れチャンバ１２の中に一定の洗浄液を入れ、洗浄液は通水孔３３により環状貯蔵チャンバ１９の中まで流れ、そして最大限四つのピアスをぞれぞれブラシ１５に置き、この時に制御モーター２３が逆方向へ作動し、パレット１３とカバー板１６を初期位置に戻し、この時にモーター２４を始動し、スプライン軸２９を連動させて回転させ、スプラインによる連結を通じて回転軸２７を連動させて回転させ、更に主動平歯車２６を連動させて回転させ、歯車の噛み合いにより従動平歯車３０を連動させて回転させ、更に回転筒１４とブラシ１５とを連動させて回転させ、この時にピアスがブラシで反転し、軽く摩擦することにより拭くことができ、同時に、モーター２４が主動傘歯車３９を連動させて回転させ、歯車の噛み合いにより従動傘歯車３８を連動させて回転させ、更に伝動軸３６を連動させて回転させ、更にタービン羽根２１を連動させて回転させ、洗浄液を環状貯蔵チャンバ１９の中から流通パイプ４１まで輸送し、連通口５２により水流れチャンバ１７の中に洗浄液を輸送し、この時洗浄液が排水孔１８から落ちてピアスを洗い、洗浄液が何回も使用された後新しいものに替える時、手動で開閉ブロック５１を上方へ引き、更に阻み板４８を連動させて上昇させて且つ放水口４６を開き、この時に環状貯蔵チャンバ１９の中に貯蔵された洗浄液が流通パイプ４１と放水口４６により流出する。
【００１８】
有益な効果は：本装置によりピアスを手入れするとき、同時に複数のピアスを手入れすることができ、反転摩擦の形式でピアスの汚れと酸化層を磨いて洗い、同時に洗浄液を繰り返しに使用することができ、浪費を減らす。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和2年6月10日(2020.6.10)
【手続補正１】
【補正対象書類名】特許請求の範囲
【補正対象項目名】全文
【補正方法】変更
【補正の内容】
【特許請求の範囲】
【請求項１】
正面視で、手入れ機を含み、前記手入れ機の中には手入れチャンバが設置され、前記手入れチャンバの上側には上方へ開口した開口チャンバが連通するように設置され、前記手入れチャンバの中には拭き装置が設置され、前記拭き装置の上下左右には水循環装置が設置され、前記手入れチャンバの左右両側には昇降装置が対称的に設置され、前記拭き装置はパレットの中に設置している伝動チャンバを含み、前記伝動チャンバの中の中心のところには主動平歯車が回転できるように設置され、前記主動平歯車の下端には前記パレットの下側まで伸びている回転軸が固定的に連結され、前記回転軸の中には下方へ開口したスプライン孔が設置され、前記手入れチャンバの下側内壁の中にはモーターが固定的に設置され、前記モーターの上端には上端が前記スプライン孔の中まで伸びているスプライン軸が動力が伝達できるように連結され、前記主動平歯車の円周外側には前記主動平歯車と噛み合っている四つの従動平歯車が環状的に配列するように設置され、前記伝動チャンバの上側には回転チャンバが前記従動平歯車に対応するように設置され、前記回転チャンバの中には前記従動平歯車に固定的に連結されている回転筒が回転できるように設置され、前記回転筒の中には上方へ開口した摩擦チャンバが設置され、前記摩擦チャンバの内円周壁と下壁にはブラシが固定的に設置され、前記摩擦チャンバの下側には前記従動平歯車と前記パレットとを通しており、且つ下方へ開口した通水孔が連通するように設置され、
前記水循環装置は前記手入れチャンバの下側に連通するように設置されている環状貯蔵チャンバを含み、前記環状貯蔵チャンバの下側内壁の一端には水入り口が連通するように設置され、前記水入り口の下側にはタービンチャンバが連通するように設置され、前記タービンチャンバの中には伝動軸が回転できるように設置され、前記伝動軸の円周面にはタービン羽根が環状的に配列され、且つ固定的に設置され、前記タービンチャンバの右側には傘歯車チャンバが設置され、前記伝動軸の右端が前記傘歯車チャンバの中まで伸びており、且つ前記伝動軸の右端に従動傘歯車が固定的に設置され、前記従動傘歯車の上端には前記従動傘歯車と噛み合っている主動傘歯車が回転できるように設置され、前記主動傘歯車が前記モーターの下端に動力が伝達できるように連結され、前記タービンチャンバの下側には水抜きが連通するように設置され、前記水抜きの左右両側には流通パイプが連通するように設置され、
前記開口チャンバの中にはカバー板がスライドできるように設置され、前記カバー板の中には水流れチャンバが設置され、前記水流れチャンバの下側には下方へ開口した排水孔が連通するように設置され、前記開口チャンバの下側内壁の左右両端には密封チャンバが対称的に連通するように設置され、前記カバー板の下端面の左右両端には前記密封チャンバの中まで伸びることができる密封ブロックが対称的に、且つ固定的に設置され、前記密封ブロックの中には前記水流れチャンバに連通しており、且つ下方へ開口した密封孔が上下に貫通するように設置され、前記密封チャンバの下壁には前記密封孔の中まで伸びることができるゴムホースが固定的に設置され、前記ゴムホースの中には連通口が上下に貫通するように設置され、前記流通パイプの上端が前記連通口に連通しており、左側の前記流通パイプの左側下端には左方へ開口した放水口が連通するように設置され、前記放水口の上側には阻み板チャンバが連通するように設置され、前記阻み板チャンバの中には阻み板がスライドできるように設置され、前記阻み板の上端と前記阻み板チャンバの上壁との間には圧縮バネが固定的に連結され、前記阻み板チャンバの左側内壁には左方へ開口した開閉チャンバが設置され、前記開閉チャンバの中には前記阻み板に固定的に連結されている開閉ブロックがスライドできるように設置され、
前記昇降装置は対称的であり、且つ前記手入れチャンバの下側内壁の左右両端に設置されている昇降チャンバを含み、前記昇降チャンバの中には昇降ロッドがスライドできるように設置され、前記昇降ロッドの中には下方へ開口したネジ山チャンバが設置され、前記ネジ山チャンバの中にはネジロッドがネジ山より連結され、前記昇降チャンバの下側にはプーリチャンバが設置され、前記ネジロッドの下端が前記プーリチャンバの中まで伸びており、且つ前記ネジロッドの下端には従動プーリが固定的に連結され、前記従動プーリの中間位置には主動プーリが回転できるように設置され、前記主動プーリと前記従動プーリとの間には伝動ベルトが動力が伝達できるように連結され、前記プーリチャンバの上側内壁には制御モーターが固定的に設置され、前記主動プーリが前記制御モーターの下端に動力が伝達できるように連結されており、
まずは前記手入れチャンバの中に一定の洗浄液を入れ、洗浄液は前記通水孔により前記環状貯蔵チャンバの中まで流れ、そして最大限四つのピアスをぞれぞれ前記ブラシに置き、この時に前記制御モーターが逆方向へ作動し、前記パレットと前記カバー板を初期位置に戻し、この時に前記モーターを始動し、前記スプライン軸を連動させて回転させ、スプラインによる連結を通じて前記回転軸を連動させて回転させ、更に前記主動平歯車を連動させて回転させ、歯車の噛み合いにより前記従動平歯車を連動させて回転させ、更に前記回転筒と前記ブラシとを連動させて回転させ、この時にピアスがブラシで反転し、軽く摩擦することにより拭くことができ、同時に、前記モーターが前記主動傘歯車を連動させて回転させ、歯車の噛み合いにより前記従動傘歯車を連動させて回転させ、更に前記伝動軸を連動させて回転させ、更に前記タービン羽根を連動させて回転させ、洗浄液を前記環状貯蔵チャンバの中から前記流通パイプまで輸送し、前記連通口により前記水流れチャンバの中に洗浄液を輸送し、この時前記洗浄液が排水孔から落ちてピアスを洗い、洗浄液が何回も使用された後新しいものに替える時、手動で前記開閉ブロックを上方へ引き、更に前記阻み板を連動させて上昇させて且つ前記放水口を開き、この時に前記環状貯蔵チャンバの中に貯蔵された洗浄液が前記流通パイプと前記放水口により流出することを特徴とするピアスの手入れ装置。